(57)【要約】【課題】藺草等の断片そのものをクッション材として使用した断片織物において、クッション材である藺草の使用に伴うずれや偏りを防止してクッション材の厚さを均一状態で維持できるようにする。【解決手段】断片織物は、断片を緯糸要素として織成されており、主体部(1)と、主体部(1)の裏面側に設けられたクッション部(2)を備えており、クッション部(2)は、藺草(20,20a)が所要の本数毎に主体部(1)の裏面側で多数の経糸(11)を連続してとばしており、かつこれらの藺草(20,20a)が所要の本数毎に経糸(11a,11c)に交叉する位置を経糸(11)の並ぶ方向へ所要本数ずらして織り込まれて、主体部(1)と一体に形成されている。【選択図】図３
2010144285.tif 000002
【特許請求の範囲】
【請求項１】
緯糸要素として断片を使用した織物であって、
断片(10,10a)で織成されている主体部(1)と、
該主体部(1)の一方の面側に設けられており、主体部(1)と一緒に織成された断片(20,20a)で構成されているクッション部(2)を有し、
前記クッション部(2)の断片(20,20a)は、主体部(1)よりも少ない箇所で経糸(11a,11b,11c)と交叉し、主体部(1)よりもかさ高性が付与されている、
断片織物。
【請求項２】
緯糸要素として断片を使用した織物であって、
断片(10c,10d)で織成されている主体部(1a)と、
該主体部(1a)の一方の面側に設けられており、主体部(1a)よりもかさ高なクッション部(2a)を有し、
前記クッション部(2a)は断片(20d,20e)で構成されており、該断片(20d,20e)は少なくとも両側端部分が主体部(1a)と一緒に織成されている、
断片織物。
【請求項３】
クッション部(2a)の断片(20d,20e)は、両側端部分で主体部(1a)と一緒に織成されているほかに、両側端部分の間の少なくとも一箇所で主体部(1a)と一緒に織成されている、
請求項２記載の断片織物。
【請求項４】
断片(10,10a,20,20a)を緯糸要素として、主体部(1)と、主体部(1)の裏面側に設けられ主体部(1)と一緒に織成されたクッション部(2)を有する二重織りにされており、
クッション部(2)は、主体部(1)より嵩高になるようにしてある、
断片織物。
【請求項５】
断片(10,10a,20,20a)を緯糸要素として、主体部(1)と、主体部(1)の裏面側に設けられ主体部(1)と一緒に織成されたクッション部(2)を有する二重織りにされており、
クッション部(2)は、断片(20,20a)が所要の本数毎に主体部(1)の裏面側で多数の経糸(11)を連続してとばしており、かつこれらの断片(20,20a)が所要の本数毎に経糸(11)に交叉する位置を経糸(11)の並ぶ方向へ所要本数ずらして織り込まれて、主体部(1)と一体に主体部(1)より嵩高になるように形成されている、
断片織物。
【請求項６】
断片(10,10a,20,20a)を緯糸要素として、主体部(1)と、主体部(1)の裏面側に設けられたクッション部(2)を有する二重織りにする断片織物の製造方法であって、
二重織りにする際に、クッション部(2)を構成する断片(20,20a)を経糸(11a,11b,11c)に交叉させてクッション部(2)が主体部(1)と一緒になるように、かつクッション部(2)が主体部(1)より嵩高になるように織成する、
断片織物の製造方法。
【請求項７】
断片(10,10a,20,20a)を緯糸要素として、主体部(1)と、主体部(1)の裏面側に設けられたクッション部(2)を有する二重織りにする断片織物の製造方法であって、
二重織りにする際に、所要の経糸(11a)に交叉させた断片(20)を所要の本数毎に裏面側で多数の経糸(11)を連続してとばして次の経糸(11b)に交叉させ、
これらの断片を所要の本数毎に経糸に交叉する位置を経糸の並ぶ方向へ所要本数ずらして織り込み、
前記裏面側で経糸(11)を連続してとばした断片(20,20a)以外の断片(10,10a)を経糸(11)の張り方向に締めて主体部(1)を形成し、裏面側で経糸(11)を連続してとばした断片(20,20a)で主体部(1)の裏面側に、主体部(1)より嵩高なクッション部(2)を形成する、
断片織物の製造方法。
【発明の詳細な説明】
【技術分野】
【０００１】
本発明は、断片織物及びその製造方法に関するものである。更に詳しくは、藺草等の断片そのものをクッション材として使用した断片織物において、製造工程を簡略化すると共に、使用に伴う断片のずれや偏りを防止できる断片織物及びその製造方法に関する。
【背景技術】
【０００２】
例えば、床がフローリングである洋室に和風の雰囲気を付与する敷物として、畳表様の表面材を有する断片織物が使用されている。しかし、フローリングに断片織物である薄い茣蓙を直接敷いたのでは、畳からイメージする使用感とは裏腹に、表面が硬くクッション性に乏しいため、敷物としての使用感には難がある。
これを解消するために、本願発明者はクッション性を有する敷物を提案している（特許文献１参照）。
【０００３】
特許文献１記載の敷物は、表面と裏面に設けてある藺草製の筵と、各筵の間に挟んであるクッション材と、表面と裏面の筵の縁を縫い合わせている縁部材を備えており、クッション材は藺草の茎を集めて構成してある。この敷物は、藺草そのものをクッション材として使用しており、縁部材を除いてほぼ藺草だけでできているので、廃棄する際の分別にそれほど手間がかからず、処分がしやすい利点がある。
【０００４】
【特許文献１】特開平２００６−９５０８６公報
【発明の開示】
【発明が解決しようとする課題】
【０００５】
しかしながら、特許文献１記載の敷物には次のような課題があった。
すなわち、前記敷物は、（１）筵を織成する、（２）筵を適宜長さに裁断する、（３）藺草の茎を集めたクッション材を作製する、（４）表裏面側の筵の間にクッション材を挟み、縁辺部の三層を縁部材と共に縫い合わせる、の一連の工程を経て製造されている。
このように、製造に要する工程数が多いために、工程の管理がしやすいとはいえず、製造効率が悪くなってコスト高につながる課題があった。
【０００６】
また、クッション材となる藺草は、それぞれの長さ方向において両端部以外は固定されていないので、表裏の筵の間の空間部で、ある程度動くことができる。このため、敷物を使用するのに伴い、例えば荷重が偏ったりすると藺草にずれや偏りを生じることがある。こうなると、敷物の厚さを均一状態で維持することが困難で、クッション性にムラが生じて使用感が悪くなっていた。
【０００７】
（本発明の目的）
本発明の目的は、緯糸要素としての藺草等の断片そのものをクッション材として使用した断片織物において、その製造工程を簡略化することができる断片織物及びその製造方法を提供することである。
【０００８】
また、本発明の他の目的は、前記目的に加えて、使用に伴うクッション材の断片のずれや偏りを防止して、クッション材の厚さの均一化の維持を図った断片織物及びその製造方法を提供することである。
【課題を解決するための手段】
【０００９】
上記課題を解決するために本発明が講じた手段は次のとおりである。
本発明は、
緯糸要素として断片を使用した織物であって、
断片で織成されている主体部と、
該主体部の一方の面側に設けられており、主体部と一緒に織成された断片で構成されているクッション部を有し、
前記クッション部の断片は、主体部よりも少ない箇所で経糸と交叉し、主体部よりもかさ高性が付与されている、
断片織物である。
【００１０】
本発明は、
緯糸要素として断片を使用した織物であって、
断片で織成されている主体部と、
該主体部の一方の面側に設けられており、主体部よりもかさ高なクッション部を有し、
前記クッション部は断片で構成されており、該断片は少なくとも両側端部分が主体部と一緒に織成されている、
断片織物である。
【００１１】
本発明は、
クッション部の断片は、両側端部分で主体部と一緒に織成されているほかに、両側端部分の間の少なくとも一箇所で主体部と一緒に織成されている、
前記断片織物である。
【００１２】
本発明は、
断片を緯糸要素として、主体部と、主体部の裏面側に設けられ主体部と一緒に織成されたクッション部を有する二重織りにされており、
クッション部は、主体部より嵩高になるようにしてある、
断片織物である。
【００１３】
本発明は、
断片を緯糸要素として、主体部と、主体部の裏面側に設けられ主体部と一緒に織成されたクッション部を有する二重織りにされており、
クッション部は、断片が所要の本数毎に主体部の裏面側で多数の経糸を連続してとばしており、かつこれらの断片が所要の本数毎に経糸に交叉する位置を経糸の並ぶ方向へ所要本数ずらして織り込まれて、主体部と一体に主体部より嵩高になるように形成されている、
断片織物である。
【００１４】
本発明は、
断片を緯糸要素として、主体部と、主体部の裏面側に設けられたクッション部を有する二重織りにする断片織物の製造方法であって、
二重織りにする際に、クッション部を構成する断片を経糸に交叉させてクッション部が主体部と一緒になるように、かつクッション部が主体部より嵩高になるように織成する、
断片織物の製造方法である。
【００１５】
本発明は、
断片を緯糸要素として、主体部と、主体部の裏面側に設けられたクッション部を有する二重織りにする断片織物の製造方法であって、
二重織りにする際に、所要の経糸に交叉させた断片を所要の本数毎に裏面側で多数の経糸を連続してとばして次の経糸に交叉させ、
これらの断片を所要の本数毎に経糸に交叉させる位置を経糸の並ぶ方向へ所要本数ずらして織り込み、
前記裏面側で経糸を連続してとばした断片以外の断片を経糸の張り方向に締めて主体部を形成し、裏面側で経糸を連続してとばした断片で主体部の裏面側に、主体部より嵩高なクッション部を形成する、
断片織物の製造方法である。
【００１６】
本発明にいう「断片」は、緯糸要素として使用されるもので、例えば天然の藺草の他、合成樹脂製の細いパイプや紙製の条体等、人工の藺草等も含まれるが、これらに限定はされない。
本発明にいう「交叉」とは、互い違いに組み合わせる意味を含み、交叉要素が交わる方向も直角に限定されるものではなく、鋭角または鈍角を形成していてもよい。
本発明にいう「二重織り」とは、二枚の織物（上地と下地ともいう）を同時に織成する意味を含むものであり、専用の断片織機を使用して行われる。二重織りには、二枚の織物で袋状に形成する袋織りも含まれる。また、織物としての二重織りとは、二枚の織物を一部で綴り合わせた織物をいう。
【００１７】
断片織物の形態または断片織物を使用した物品（製品）としては、例えば床敷物、クッション、座布団、ベッド用パッド、置き畳状のもの等が挙げられる。
さらに、これが床敷物の場合の構造としては、主体部が畳表様であるもの、主体部が各種模様を織り込んだ花茣蓙様のもの、前記それぞれにおいてフェルト（不織布）等の裏地を張ってクッション部を覆ったもの、二枚の断片織物のクッション部を合わせて縁を閉じたもの、あるいは一枚の断片織物をクッション部を合わせるようにして折り曲げて縁を閉じたもの等であるが、これらに限定はされない。
【００１８】
（作用）
本発明に係る断片織物の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１９】
断片織物は、断片(10,10a,20,20a)を緯糸要素として、主体部(1)と、主体部(1)の裏面側に設けられ主体部(1)と一緒に織成されたクッション部(2)を有する二重織りにされており、クッション部(2)は、主体部(1)より嵩高になるようにしてあるので、織成する工程だけで緯糸要素である藺草等の断片そのものをクッション材として使用した断片織物を製造することができ、従来のように多数の工程を要するものと比較して製造工程を簡略化することができる。
【００２０】
また、断片織物は、二重織りにする際に、クッション部(2)を構成する断片(20,20a)を経糸(11)に交叉させてクッション部(2)が主体部と一緒に織成されるようにすると共に、クッション部(2)が主体部(1)より嵩高になるように織成しているので、クッション部(2)を構成している多数の断片(20,20a)は、それぞれ断片(20,20a)の長さ方向において中間部分も複数箇所で主体部(1)と一緒に織成されている。
これにより、断片織物を使用するのに伴い、人が歩いたり座ったりすることにより断片織物にかかる荷重が偏っても、クッション部(2)の断片(20,20a)にずれや偏りが生じにくくなる。
【発明の効果】
【００２１】
（ａ）本発明は、主体部の一方の面側、例えば裏面側に、主体部と一緒に織成されたクッション部が、主体部より嵩高になるように構成してあるので、藺草等の断片そのものをクッション材として使用した断片織物を製造するにあたり、従来のように織成された断片織物にクッション部を一体にする工程が不要であり、断片織物及び断片織物を使用した敷物等の製造工程を簡略化することができる。これにより、製造に要する工程数が少ない分だけ工程の管理がしやすくなり、従来のように製造効率が悪くなることによりコスト高になることを防止できる。
【００２２】
（ｂ）本発明は、断片織物を織成する際に、クッション部を構成する断片を経糸と交叉させてクッション部が主体部と一緒に織成されるようにすると共に、クッション部が主体部より嵩高になるように織成しているので、クッション部を構成している多数の断片は、それぞれその長さ方向において中間部分も複数箇所で主体部と一緒に織成されている。これにより、クッション材である断片の使用に伴うずれや偏りが防止され、断片織物のクッション性にムラが生じにくくなるので、すぐれた使用感を有する断片織物を提供できる。
【発明を実施するための最良の形態】
【００２３】
本発明を図面に示した実施の形態に基づき詳細に説明する。
図１は発明に係る断片織物の一実施の形態を示す中間部分を一部省略した斜視図、
図２は図１に示す断片織物の裏面の要部拡大図である。
【００２４】
断片織物Ａは、断片である藺草１０を緯糸要素として経糸１１と共に、例えば二重織りで織成することにより形成されたものである。断片織物Ａの表面側は、藺草１０を緻密に織成して形成された畳表様（茣蓙様）の主体部１となっている。一方、断片織物Ａの裏面側は、藺草２０を極めて粗の状態で織成することにより、主体部１より嵩高なクッション部２となっている。なお、主体部１とクッション部２は一体に織成されている。
【００２５】
クッション部２を構成する藺草２０は、本実施の形態では二本毎（間の一本は主体部１を順次構成する）に主体部１の裏面側に回され、裏面側で前記多数（例えば百本）の経糸１１を連続してとばして（または抜いて）、経糸１１の表面側へ交叉させてある。また、クッション部２を構成する藺草２０において隣り合うものは、藺草２０が交叉する経糸１１を経糸１１の並ぶ方向へ五本分ずつ順次ずらして織り込まれている。
【００２６】
各藺草２０において経糸１１と交叉する交叉部（組織点に対応する部分）２１は、後述するように、この交叉部２１を経糸の張り方向において両側から挟む各藺草１０の圧力によって裏面側へ押しやられて各藺草１０の間に隠れるため、主体部１の表面にはほとんど露出していない。
また、断片織物Ａの両側部（藺草１０、２０の両端側）は、各藺草１０、２０が折り返されて閉じ部３により閉じられている（図２参照）。断片織物Ａの各縁辺部（経糸１１の張り方向の両端部二箇所または全縁辺部の四箇所）に縁布を縫着することもできる。
【００２７】
前記藺草２０が主体部１の裏面側で前記多数の経糸１１を連続してとばす本数は前記した百本に限定されるものではなく、適宜設定することができる。また、本実施の形態ではクッション部２を構成する藺草２０を二本毎に主体部１の裏側に回すようにしているが、これに限定するものではなく、三本毎あるいはそれ以上の本数毎に行ってもよい。
特に後者の設定によって、クッション部２を構成する藺草２０の密度を変えることができ、これによりクッション部２のクッション性を調節することができる。
【００２８】
（作用）
断片織物Ａは、前記のように藺草である藺草１０、２０を織り込んで、主体部１とクッション部２を一体に形成したものである。また、クッション部２を構成している多数の藺草２０は、経糸１１に交叉させることで、それぞれ藺草２０の長さ方向において中間部分も複数箇所で主体部１と一緒に織成されている。
【００２９】
断片織物Ａは、この構造により、断片織物Ａを使用するのに伴って、人が歩いたり座ったりすることによる荷重が偏っても、クッション部２の藺草２０にずれや偏りが生じにくく、断片織物Ａの厚さを均一状態で維持することができる。したがって、断片織物Ａのクッション性にムラが生じて使用感が悪くなることを防止できる。
【００３０】
図３は本発明に係る断片織物の一実施の形態を製造する工程を示す説明図である。
主体部１が畳表様の断片織物Ａは、断片である藺草１０、２０を緯糸要素として経糸１１と共に織成することにより形成され、幅方向の両端部の一部は目積織り（後述する経糸１１と藺草１０、１０ａによる織りと同様）となっている。なお、図１、図２で表している藺草１０、２０及び経糸１１は、以下の工程の説明では、分かりやすいように要所においては藺草１０ａ、藺草２０ａ、２０ｂ、２０ｃ及び経糸１１ａ、１１ｂ、１１ｃ、１１ｄ、１１ｅの符号を使用して説明する。
【００３１】
また、実際の織成では、例えば二重織り（または袋織り）ができる織機が採用され、各経糸１１をロッドで上下に交互に分けるように動かして、各経糸１１を開口させて各藺草１０及び藺草２０を横方向へ打ち込んで緯入れすることにより行われるが、図３では分かりやすいように各経糸１１を紙面方向に直線的に配し、藺草１０及び藺草２０はそれらを縫うように（または通すように）表している。これについては、後述する図５においても同様である。
【００３２】
（１）主体部１を構成する各藺草１０を各経糸１１間に緯入れする。経糸１１は、五本ずつ交互に分けられ、藺草１０は経糸１１の五本毎に表裏面側に表れる（図３（ａ）参照）。
【００３３】
（２）次に、クッション部２を構成する藺草２０を各経糸１１間に緯入れする。藺草２０は経糸１１の表面側に表れている藺草１０の中央に対応する経糸１１ａに裏面側から交叉させて裏面側へ戻し（図３（ｂ）参照）、さらに裏面側で経糸１１を百本とばして同様に経糸１１ｂに交叉させ（図３（ｂｂ）参照）、以下、ほぼ全幅にわたり経糸１１の並び方向に同様に繰り返す。
【００３４】
（３）次に、主体部１を構成する藺草１０ａを各経糸１１間に緯入れする。経糸１１は、前記藺草１０を緯入れする場合とは逆になるように五本ずつ交互に分けられている。藺草１０ａは経糸１１の五本毎に表裏面側に表れるが、表れる側は前記藺草１０を緯入れする場合とは逆である（図３（ｃ）参照）。なお、各藺草１０、１０ａがとばす経糸１１の本数は、本実施の形態のように五本に限定されるものではなく適宜設定ができる。また、等本毎でなく、各藺草１０、１０ａがとばす本数を変えることもできるし、さらには色が異なる多種の藺草１０を使用し複雑な織成をして花茣蓙のように模様を織り込むこともできる。
【００３５】
（４）次に、クッション部２を構成する藺草２０ａを各経糸１１間に緯入れする。藺草２０ａは、経糸１１の表面側に表れている藺草１０ａの中央に対応する経糸１１ｃに裏面側から交叉させて裏面側へ戻し（図３（ｄ）参照）、さらに前記藺草２０と同様に裏面側で経糸１１を百本とばして同様に次の経糸（図示省略）に交叉させ、以下、ほぼ全幅にわたり経糸１１の並び方向に同様に繰り返す。なお、藺草２０ａを交叉させる経糸１１ｃの位置は、図に示すように前記藺草２０を交叉させる経糸１１ａとは五本ずらしてあり、経糸１１の表面側に表れている藺草１０ａの中央に対応する位置となっている。これは、後の藺草２０ｂを交叉させる経糸１１ｄ及び藺草２０ｃを交叉させる経糸１１ｅも同様である。
【００３６】
（５）前記（１）ないし（４）の工程を繰り返し、これらの工程と合わせて、裏面側で経糸１１を連続してとばした藺草２０、２０ａ、２０ｂ、２０ｃ・・・以外の藺草１０、１０ａを適宜タイミングで経糸１１の張り方向へ順次締めて表面が畳表様の主体部１を形成し、主体部１の裏面側で経糸１１を連続してとばした藺草２０、２０ａ、２０ｂ、２０ｃ・・・で主体部１の裏面側にクッション部２を形成する。
【００３７】
なお、各藺草１０、１０ａを経糸１１の張り方向へ緯打ちすることにより、各藺草２０、２０ａ、２０ｂ、２０ｃ・・・において経糸１１ａ、１１ｃ、１１ｄ、１１ｅ、１１ｂに交叉された交叉部２１は、この交叉部２１を両側から挟む各藺草１０、１０ａの圧力によって裏面側へ押しやられ、各藺草１０、１０ａの間に隠れるため、主体部１の表面にはほとんど露出しない（図３（ｅ）参照）。また、クッション部２は、主体部１と相違して藺草２０、２０ａ、２０ｂ、２０ｃ・・・が経糸１１の張り方向に締められて潰れることはなく、しかも各藺草１０、１０ａが経糸１１と交叉して締まることにより、経糸１１とほとんど交叉しない藺草２０、２０ａ、２０ｂ、２０ｃ・・・は裏面側においてやや緩む。これにより、クッション部２は主体部１と比べて極めて嵩高となっている。
【００３８】
このように、断片織物Ａは、藺草である藺草１０、２０を織り込んで、主体部１とクッション部２を藺草２０で一緒に織成して一体に形成することができるので、織成する工程だけで断片織物Ａを製造することができ、従来のように多数の工程を要するものと比較して製造工程を簡略化することができる。
これにより、製造に要する工程数が少ない分だけ工程の管理がしやすくなり、従来のように効率が悪くなることによりコスト高になることを防止できる。
【００３９】
図４は図１に示す断片織物を使用した敷物を示し、（ａ）は斜視図、（ｂ）は中間部分を一部省略したＩ−Ｉ拡大端面図である。
【００４０】
敷物Ｒは、前記断片織物Ａを原反として使用したものである。敷物Ｒは、所要の長さの断片織物Ａを長さ方向における中央部でクッション部２が合わさるように折り曲げ、さらに長さ方向の両端側の一部をそれぞれクッション部２側へ折り曲げて、図４（ｂ）の右側端部に示すように四枚重ねとし、この部分を全幅にわたり縫着して閉じ部４を設け、断片織物Ａの幅方向両端縁部に敷物Ｒの全長にわたり縁５を縫着して形成されている。
【００４１】
敷物Ｒは、主体部１が表裏両面に位置するので、表裏両面を上面側として使用できるリバーシブルタイプである。また、敷物Ｒは、原反である断片織物Ａの前記作用、すなわち従来のように多数の工程を要するものと比較して製造工程を簡略化できる点と、人が歩いたり座ったりすることによる荷重が偏ってもクッション部２の藺草２０にずれや偏りが生じにくく厚さを均一状態で維持することができる点において、ほぼ同等の作用を有している。
【００４２】
図５は本発明に係る断片織物の他の実施の形態を製造する工程を示す説明図である。
この製造工程により製造される断片織物（符号省略）は、幅方向における両端側の一部が目積織り（例えば普通目織り、諸目織り等、他の織り方でもよい）にされており、目積織り部６、６ａより内側に位置する経糸１１ｆよりさらに内側の各経糸１１には、クッション部２ａを構成する藺草２０ｄ、２０ｅを全く交叉させない構造である。製造工程は次のとおりである。
【００４３】
（１）主体部１ａ（図５（ｄ）参照）を構成する各藺草１０ｃを各経糸１１間に緯入れする。経糸１１は、五本ずつ交互に分けられており、藺草１０ｃは経糸１１の五本毎に表裏面側に表れる（図５（ａ）参照）。
【００４４】
（２）次に、クッション部２ａ（図５（ｄ）参照）を構成する藺草２０ｄを各経糸１１間に緯入れする。藺草２０ｄは一方の目積織り部６となる部分を形成した後、その内側に位置する経糸１１ｆの外側で表面側から裏面側へ入り、この経糸１１ｆと、反対側の目積織り部６ａの内側に位置する経糸１１ｇ及びそれらの間の経糸１１を全部とばして、経糸１１ｇの外側で裏面側から表面側へ入り目積織り部６ａを形成する。
【００４５】
（３）次に、主体部１を構成する藺草１０ｄを各経糸１１間に緯入れする。経糸１１は、前記藺草１０ｃを緯入れする場合とは逆になるように五本ずつ交互に分けられている。藺草１０ｄは経糸１１の五本毎に表裏面側に表れるが、表れる側は前記藺草１０ｃを緯入れする場合とは逆である（図５（ｃ）参照）。なお、各藺草１０ｃ、１０ｄがとばす経糸１１の本数は、本実施の形態のように五本に限定されるものではなく適宜設定ができる。また、等本毎でなく、各藺草１０ｃ、１０ｄがとばす本数を変えることもできるし、さらに色が異なる多種の緯糸要素を使用し複雑な織成をして花茣蓙のように模様を織り込むこともできる。
【００４６】
（４）次に、クッション部２ａを構成する藺草２０ｅを各経糸１１間に緯入れする。藺草２０ｅは、一方の目積織り部６となる部分を形成した後、その内側に位置する経糸１１ｆの外側で裏面側から表面側へ入り、経糸１１ｆに交叉して経糸１１ｆの内側ですぐに裏面側へ戻され、経糸１１ｆと経糸１１ｇの内側に位置する経糸１１を全部とばして、経糸１１ｇの内側で裏面側から表面側へ入り、経糸１１ｇに交叉して経糸１１ｇの外側ですぐに裏面側へ戻され、目積織り部６ａを形成する。
【００４７】
（５）前記（１）ないし（４）の工程を繰り返し、これらの工程と合わせて、裏面側で経糸１１を連続してとばした藺草２０ｄ、２０ｅ以外の藺草１０ｃ、１０ｄを適宜タイミングで経糸１１の張り方向へ順次締めて畳表様の主体部１ａを形成し、裏面側で経糸１１を連続してとばした藺草２０ｄ、２０ｅで主体部１ａの裏面側にクッション部２ａを形成する。
【００４８】
また、クッション部２ａは、主体部１ａと相違して藺草２０ｄ、２０ｅが経糸１１の張り方向に締められて潰れることはなく、しかも経糸１１間において裏面側へ大きく緩めて通してあるので、主体部１と比べて極めて嵩高となっている。また、藺草２０ｄ、２０ｅの交叉部２２は、経糸１１ｆと経糸１１ｇに各藺草１０ｃと共に交叉しているので、藺草１０ｃ、１０ｄを締めても隣り合う藺草１０ｃ、１０ｃの間には隠れ切れずに表面側に露出する。藺草２０ｄ、２０ｅの色が他の藺草１０ｃ、１０ｄと同じであれば目立つことはないが、逆に色を違えてこれを模様として利用することもできる。
【００４９】
このようにして製造された断片織物は、前記断片織物Ａと相違して藺草２０ｄ、２０ｅの長さ方向において中間部分（経糸１１ｆと経糸１１ｇの間）の各経糸１１に交叉していないのでこの部分で主体部１ａと一緒になっていない。これによれば、クッション部２ａを構成する藺草２０ｄ、２０ｅが中間部で動きやすい性質はあるが、製造工程を簡略化できる点については断片織物Ａと同等である。
【００５０】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５１】
【図１】本発明に係る断片織物の一実施の形態を示す中間部分を一部省略した斜視図。
【図２】図１に示す断片織物の裏面の要部拡大図。
【図３】本発明に係る断片織物の一実施の形態を製造する工程を示す説明図。
【図４】図１に示す断片織物を使用した敷物を示し、（ａ）は斜視図、（ｂ）は中間部分を一部省略したＩ−Ｉ拡大端面図。
【図５】本発明に係る断片織物の他の実施の形態を製造する工程を示す説明図。
【符号の説明】
【００５２】
Ａ  断片織物
１、１ａ  主体部
１０、１０ａ、１０ｂ、１０ｃ、１０ｄ  藺草
１１、１１ａ、１１ｂ、１１ｃ、１１ｄ、１１ｅ、１１ｆ、１１ｇ  経糸
２、２ａ  クッション部
２０、２０ａ、２０ｂ、２０ｃ、２０ｄ、２０ｅ  藺草
２１、２２  交叉部
３  閉じ部
Ｒ  敷物
４  閉じ部
５  縁
６、６ａ  目積織り部
【図１】
2010144285.tif 000003
【図２】
2010144285.tif 000004
【図３】
2010144285.tif 000005
【図４】
2010144285.tif 000006
【図５】
2010144285.tif 000007